(57)【要約】【課題】デジタルカメラ、銀塩カメラ及びビデオカメラ等に最適であり、画角が９０°以上でＦ値が１．４程度の大口径広角レンズを提供する。【解決手段】物体側から像側へ順に、正の屈折力を有し少なくとも１枚の負の屈折力を有するレンズ成分を含む第１レンズ群Ｌ１と、負の屈折力を有する第２レンズ群Ｌ２と、正の屈折力を有する第３レンズ群Ｌ３と、から成り、特定の条件式を満足し、前記第２レンズ群Ｌ２を光軸に沿って移動させることで像面湾曲補正が可能であることを特徴とする大口径広角レンズ。【選択図】図１
2019117419.tif 000002
【特許請求の範囲】
【請求項１】
物体側から像側へ順に、
正の屈折力を有し少なくとも１枚の負の屈折力を有するレンズ成分を含む第１レンズ群Ｌ１と、
負の屈折力を有する第２レンズ群Ｌ２と、
正の屈折力を有する第３レンズ群Ｌ３と、から成り、
以下の条件式を満足し、前記第２レンズ群Ｌ２を光軸に沿って移動させることで像面湾曲補正が可能であることを特徴とする大口径広角レンズ
（１）νｄ１ｎ＞７０      
（４）｜β２ｂ２・（β２２−１）｜＜０．０４４  
（５）｜Δ ＳＡ２／Δ ａｓｔ２｜＜０．０４６   
但し、
νｄ１ｎは、前記第１レンズ群Ｌ１に含まれる少なくとも１枚の負の屈折力を有するレンズ成分のアッベ数、
β２は、撮影距離無限遠における前記第２レンズ群Ｌ２の横倍率、
β２ｂは、撮影距離無限遠における前記第２レンズ群Ｌ２より像面側に位置するレンズ成分の横倍率，
Δ ＳＡ２は、前記第２レンズ群Ｌ２を光軸に沿って単位移動量動かした際のマージナル光線の球面収差変動量、
Δ ａｓｔ２は、前記第２レンズ群Ｌ２を光軸に沿って単位移動量動かした際の最大像高のメリジオナル非点収差変動量である。
【請求項２】
前記第１レンズ群Ｌ１は、物体側から像側へ順に、負の屈折力を有する第１ｆレンズ群Ｌ１ｆと、正の屈折力を有する第１ｒレンズ群Ｌ１ｒとから成り、以下の条件式を満足することを特徴とする請求項１記載の大口径広角レンズ
（２）０．２３＜ｆ１ｒ／ｆ１＜０．５４   
但し、
ｆ１ｒは、前記第１ｒレンズ群Ｌ１ｒの焦点距離、
ｆ１は、前記第１レンズ群Ｌ１の焦点距離である。
【請求項３】
以下の条件式を満足することを特徴とする、請求項１又は２記載の大口径広角レンズ
（３）１．９０＜ｆＧ１／ｆ１ｆ＜６．８０   
但し、
ｆＧ１は、前記第１レンズ群Ｌ１の最も物体側のレンズ成分Ｇ１の焦点距離、
ｆ１ｆは、前記第１ｆレンズ群Ｌ１ｆの焦点距離である。
【発明の詳細な説明】
【技術分野】
【０００１】
本発明は、デジタルカメラ、銀塩カメラ及びビデオカメラ等に最適であり、画角が９０°以上でＦ値が１．４程度の大口径広角レンズに関する。
【背景技術】
【０００２】
画角が９０°以上の広角レンズとして、例えば以下の特許文献が挙げられる。
【先行技術文献】
【特許文献】
【０００３】
【特許文献１】特許第３７３５９０９号
【特許文献２】特許第４８６２２６３号
【特許文献３】特許第５４２８７７５号
【発明の概要】
【発明が解決しようとする課題】
【０００４】
しかしながら、特許文献１及び２に記載の広角レンズでは、第２レンズ群若しくは第２レンズ群後部のみでフォーカシングを行っているため、フォーカシング時の性能変動が大きく、さらにＦ値が２．８から３．５と暗いという課題がある。
【０００５】
また、特許文献３記載の広角レンズでは、２つのレンズ群を光軸に沿って動かすことでフォーカシングを行い、フォーカシング時の性能変動を抑えているが、Ｆ値が４と暗い。
【０００６】
また、昨今のセンサーの高画素化に伴い、レンズには中心から周辺全域において高い描写性能が求められており、特に、Ｆ値の小さい広角レンズにおいて、高い周辺描写性能を確保するには、設計上像面湾曲を抑制するだけでなく、製造組み立て時のバラつきにより発生する像面湾曲を補正する必要がある。
【０００７】
しかしながら、特許文献１乃至３記載の広角レンズには、製造組み立て時のバラつきにより発生する像面湾曲を補正する具体的な手段が備わっていないという課題がある。
【課題を解決するための手段】
【０００８】
そこで本発明は、以下に示す手段により、上記課題を解決し、画角が９０°以上でＦ１．４程度のＦ値を確保しつつ良好な光学性能を得ることが可能な、大口径広角レンズを提供する。
【０００９】
前述の課題を解決するための手段である第１の発明は、物体側から像側へ順に、
正の屈折力を有する第１レンズ群Ｌ１と、
負の屈折力を有する第２レンズ群Ｌ２と、
正の屈折力を有する第３レンズ群Ｌ３と、から成り、
以下の条件式を満足し、前記第２レンズ群Ｌ２を光軸に沿って移動させることで像面湾曲補正が可能であることを特徴とする。
（１）νｄ１ｎ＞７０      
（４）｜β２ｂ２・（β２２−１）｜＜０．０４４  
（５）｜Δ ＳＡ２／Δ ａｓｔ２｜＜０．０４６   
但し、
νｄ１ｎは、前記第１レンズ群Ｌ１に含まれる少なくとも１枚の負の屈折力を有するレンズ成分のアッベ数、
β２は、撮影距離無限遠における前記第２レンズ群Ｌ２の横倍率、
β２ｂは、撮影距離無限遠における前記第２レンズ群Ｌ２より像面側に位置するレンズ成分の横倍率，
Δ ＳＡ２は、前記第２レンズ群Ｌ２を光軸に沿って単位移動量動かした際のマージナル光線の球面収差変動量、
Δ ａｓｔ２は、前記第２レンズ群Ｌ２を光軸に沿って単位移動量動かした際の最大像高のメリジオナル非点収差変動量である。
【発明の効果】
【００１０】
本発明により、Ｆ１．４程度のＦ値を確保しつつ良好な光学性能を得ることが可能な、大口径広角レンズを提供することができる。
【図面の簡単な説明】
【００１１】
【図１】本発明の実施例１に係る撮影距離無限遠におけるレンズ構成図である。
【図２】本発明の実施例１に係る撮影距離無限遠における縦収差図である。
【図３】本発明の実施例１に係る撮影距離９５９ｍｍにおける縦収差図である。
【図４】本発明の実施例１に係る撮影距離無限遠における横収差図である。
【図５】本発明の実施例１に係る撮影距離９５９ｍｍにおける横収差図である。
【図６】本発明の実施例１に係る撮影距離無限遠における前記第２レンズ群Ｌ２を光軸に沿って０．３ｍｍ物体側に移動した際の縦収差図である。
【図７】本発明の実施例１に係る撮影距離無限遠における前記第２レンズ群Ｌ２を光軸に沿って０．３ｍｍ像面側に移動した際の縦収差図である。
【図８】本発明の実施例２に係る撮影距離無限遠におけるレンズ構成図である。
【図９】本発明の実施例２に係る撮影距離無限遠における縦収差図である。
【図１０】本発明の実施例２に係る撮影距離９５９ｍｍにおける縦収差図である。
【図１１】本発明の実施例２に係る撮影距離無限遠における横収差図である。
【図１２】本発明の実施例２に係る撮影距離９５９ｍｍにおける横収差図である。
【図１３】本発明の実施例２に係る撮影距離無限遠における前記第２レンズ群Ｌ２を光軸に沿って０．３ｍｍ物体側に移動した際の縦収差図である。
【図１４】本発明の実施例２に係る物体距離無限遠における前記第２レンズ群Ｌ２を光軸に沿って０．３ｍｍ像面側に移動した際の縦収差図である。
【図１５】本発明の実施例３に係る撮影距離無限遠におけるレンズ構成図である。
【図１６】本発明の実施例３に係る撮影距離無限遠における縦収差図である。
【図１７】本発明の実施例３に係る撮影距離９５９ｍｍにおける縦収差図である。
【図１８】本発明の実施例３に係る撮影距離無限遠における横収差図である。
【図１９】本発明の実施例３に係る撮影距離９５９ｍｍにおける横収差図である。
【図２０】本発明の実施例３に係る撮影距離無限遠における前記第２レンズ群Ｌ２を光軸に沿って０．３ｍｍ物体側に移動した際の縦収差図である。
【図２１】本発明の実施例３に係る撮影距離無限遠における前記第２レンズ群Ｌ２を光軸に沿って０．３ｍｍ像面側に移動した際の縦収差図である。
【図２２】本発明の実施例４に係る撮影距離無限遠におけるレンズ構成図である。
【図２３】本発明の実施例４に係る撮影距離無限遠における縦収差図である。
【図２４】本発明の実施例４に係る撮影距離９５９ｍｍにおける縦収差図である。
【図２５】本発明の実施例４に係る撮影距離無限遠における横収差図である。
【図２６】本発明の実施例４に係る撮影距離９５９ｍｍにおける横収差図である。
【図２７】本発明の実施例４に係る撮影距離無限遠における前記第２レンズ群Ｌ２を光軸に沿って０．３ｍｍ物体側に移動した際の縦収差図である。
【図２８】本発明の実施例４に係る撮影距離無限遠における前記第２レンズ群Ｌ２を光軸に沿って０．３ｍｍ像面側に移動した際の縦収差図である。
【図２９】本発明の実施例５に係る撮影距離無限遠におけるレンズ構成図である。
【図３０】本発明の実施例５に係る撮影距離無限遠における縦収差図である。
【図３１】本発明の実施例５に係る撮影距離６８６ｍｍにおける縦収差図である。
【図３２】本発明の実施例５に係る撮影距離無限遠における横収差図である。
【図３３】本発明の実施例５に係る撮影距離６８６ｍｍにおける横収差図である。
【図３４】本発明の実施例５に係る撮影距離無限遠における前記第２レンズ群Ｌ２を光軸に沿って０．３ｍｍ物体側に移動した際の縦収差図である。
【図３５】本発明の実施例５に係る撮影距離無限遠における前記第２レンズ群Ｌ２を光軸に沿って０．３ｍｍ像面側に移動した際の縦収差図である。
【発明を実施するための形態】
【００１２】
以下、本発明の実施形態に係る大口径広角レンズについて説明する。なお、明細書において、「レンズ成分」とは、単レンズや接合レンズやレンズの集合を含む広い概念である。従って、１つのレンズ成分とは、その最も広い概念においては１つのレンズ群と同じである。
【００１３】
本発明の大口径広角レンズは、物体側から像側へ順に、
正の屈折力を有し少なくとも１枚の負の屈折力を有するレンズ成分を含む第１レンズ群Ｌ１と、
負の屈折力を有する第２レンズ群Ｌ２と、
正の屈折力を有する第３レンズ群Ｌ３と、から成り、
撮影距離無限遠から近距離へのフォーカシングに際して、前記第２レンズ群Ｌ２と、前記第３レンズ群Ｌ３とが光軸に沿って物体側へ異なる移動量で移動し、前記第１レンズ群Ｌ１は、物体側から像側へ順に、負の屈折力を有し、最も像側のレンズ面が物体側に凸面を向けた第１ｆレンズ群Ｌ１ｆと、前記第１ｆレンズ群Ｌ１ｆの像側に隣接し、最も物体側に正のレンズ成分を配し、正の屈折力を有する第１ｒレンズ群Ｌ１ｒとから成り、以下の条件式を満足することを特徴とする。
（１）νｄ１ｎ＞７０      
（２）０．２３＜ｆ１ｒ／ｆ１＜０．５４   
但し、
νｄ１ｎは、前記第１レンズ群Ｌ１に含まれる少なくとも１枚の負の屈折力を有するレンズ成分のアッベ数、
ｆ１ｒは、前記第１ｒレンズ群Ｌ１ｒの焦点距離、
ｆ１は、前記第１レンズ群Ｌ１の焦点距離である。
【００１４】
前記レンズ構成において、撮影距離無限遠から近距離へのフォーカシングに際して、前記第２レンズ群Ｌ２と、前記第３レンズ群Ｌ３とが光軸に沿って物体側へ異なる移動量で移動することで、特にフォーカシング時の像面湾曲変動を抑制することができる。
【００１５】
条件式（１）は、レンズ全系の倍率色収差を低減するために、前記第１レンズ群Ｌ１に含まれる少なくとも１枚の負の屈折力を有するレンズ成分のアッベ数の下限値を規定したものである。
【００１６】
条件式（１）の下限値を超え、アッベ数が小さくなると、レンズ全系の倍率色収差が増大し、画角周辺での光学性能が低下する。
【００１７】
なお、上述した条件式（１）について、下限値を８０に規定することで、前述の効果をより確実にすることができる。
【００１８】
条件式（２）は、小型化と高性能化とを両立させるために、前記第１ｒレンズ群Ｌ１ｒの焦点距離を規定したものである。
【００１９】
条件式（２）の下限値を超え、前記第１ｒレンズ群Ｌ１ｒの焦点距離が短くなると、前記第１ｒレンズ群Ｌ１ｒより射出される光束はより収斂光束となって前記第２レンズ群Ｌ２に入射するため、絞り径や前記第２、３レンズ群での有効光線高を下げることができ、小型化には有利となるが、前記第１ｒレンズ群Ｌ１ｒで発生する球面収差と軸上色収差が増大し、これをレンズ全系で補正することが困難となる。
【００２０】
条件式（２）の上限値を超え、前記第１ｒレンズ群Ｌ１ｒの焦点距離が長くなると、前記第１ｒレンズ群Ｌ１ｒで発生する球面収差と軸上色収差が小さくなるため、光学性能上は有利となるが、前記第１ｒレンズ群Ｌ１ｒより射出される光束はより発散光束となって前記第２レンズ群Ｌ２に入射するため、絞り径や、前記第２、３レンズ群の有効光線径が増大するため小型化には不利となる。
【００２１】
なお、上述した条件式（２）について、下限値を０．２６、上限値を０．４５、とすることで前述の効果をより確実にすることができる。
【００２２】
また、本発明の大口径広角レンズは、以下の条件式を満足することを特徴とする。
（３）１．９０＜ｆＧ１／ｆ１ｆ＜６．８０   
但し、
ｆＧ１は、前記第１レンズ群Ｌ１の最も物体側のレンズ成分Ｇ１の焦点距離、
ｆ１ｆは、前記第１ｆレンズ群Ｌ１ｆの焦点距離である。
【００２３】
条件式（３）は、小型化と高性能化を両立するために、前記第１レンズ群Ｌ１の最も物体側のレンズ成分Ｇ１の焦点距離を規定したものである。
【００２４】
条件式（３）の下限値を超え、前記レンズ成分Ｇ１の焦点距離が短くなると、特に負の歪曲収差が増大し、これをレンズ全系で補正するこが困難となる。
【００２５】
条件式（３）の上限値を超え、前記レンズ成分Ｇ１の焦点距離が長くなると、特に負の歪曲収差が減少するため、光学性能上は有利となるが、レンズ径が上がるため、小型化には不利となる。
【００２６】
なお、上述した条件式（３）について、下限値を２．２０、上限値を６．００、とすることで前述の効果をより確実にすることができる。
【００２７】
また、本発明の大口径広角レンズは、物体側から像側へ順に、
正の屈折力を有し少なくとも１枚の負の屈折力を有するレンズ成分を含む第１レンズ群Ｌ１と、
負の屈折力を有する第２レンズ群Ｌ２と、
正の屈折力を有する第３レンズ群Ｌ３と、から成り、
以下の条件式を満足し、前記第２レンズ群Ｌ２を光軸に沿って移動させることで像面湾曲補正が可能であることを特徴とする。
（１）νｄ１ｎ＞７０      
（４）｜β２ｂ２・（β２２−１）｜＜０．０４４  
（５）｜Δ ＳＡ２／Δ ａｓｔ２｜＜０．０４６   
但し、
νｄ１ｎは、前記第１レンズ群Ｌ１に含まれる少なくとも１枚の負の屈折力を有するレンズ成分のアッベ数、
β２は、撮影距離無限遠における前記第２レンズ群Ｌ２の横倍率、
β２ｂは、撮影距離無限遠における前記第２レンズ群Ｌ２より像面側に位置するレンズ成分の横倍率、
Δ ＳＡ２は、前記第２レンズ群Ｌ２を光軸に沿って単位移動量動かした際のマージナル光線の球面収差変動量、
Δ ａｓｔ２は、前記第２レンズ群Ｌ２を光軸に沿って単位移動量動かした際の最大像高のメリジオナル非点収差変動量である。
【００２８】
レンズ製造時において、製造誤差により像面湾曲のばらつきが発生することがあり、個別に像面湾曲補正が必要となることがある。これに対しては、レンズ全系内の像面湾曲に対して敏感度を持つレンズ成分を光軸に沿って動かすことで補正は可能である。但し、前述の像面湾曲補正により、バックフォーカスや、球面収差が変動することがあるため、これらの補正を行うためにさらに他の補正機構が必要となってくる。このため、機構や製造工程が複雑化してしまう。
【００２９】
本発明では、条件式（４）及び条件式（５）で規定された前記第２レンズ群Ｌ２を、光軸に沿って動かすことで、前述のようなバックフォーカスと球面収差の変動を抑制し、機構を複雑化させることなく、製造組み立て時に像面湾曲補正を行うことが可能となる。また前記第２レンズ群Ｌ２を光軸に沿って動かす機構として、例えば、カムやリニアモータを用いる方法があるがこの限りではない。
【００３０】
条件式（４）は、像面湾曲補正時のバックフォーカス変動を抑制するために、前記第２レンズ群Ｌ２のフォーカス敏感度の上限値を規定したものである。
【００３１】
条件式（４）の上限値を超え、前記第２レンズ群Ｌ２のフォーカス敏感度が大きくなると、像面湾曲補正のために前記第２レンズ群Ｌ２光軸に沿って動かした際のバックフォーカス変動が大きくなり、これを補正する別の機構が必要となるため、機構や製造工程が複雑化してしまう。
【００３２】
なお、上述した条件式（４）について、上限値を０．０３９、とすることで前述の効果をより確実にすることができる。
【００３３】
条件式（５）は、像面湾曲補正時の球面収差変動を抑制するために、球面収差変動量とメリジオナル非点収差の比の上限値を規定したものである。
【００３４】
条件式（５）の上限値を超え、像面湾曲補正時の球面収差変動が大きくなると、像面湾曲補正に伴う中心性能の低下が増大し、これを補正する別の機構が必要となるため、機構や製造工程が複雑化してしまう。
【００３５】
なお、上述した条件式（５）について、上限値を０．０４２、とすることで前述の効果をより確実にすることができる。
【００３６】
また、前記第３レンズ群Ｌ３は下記条件を満足することが好ましい。
（６）１．３８＜ｆ３／ｆ＜２．８３    
但し、
ｆ３は前記第３レンズ群Ｌ３の焦点距離、
ｆは撮影距離無限遠におけるレンズ全系の焦点距離である。
【００３７】
条件式（６）は小型化と高性能化を両立するため前記第３レンズ群Ｌ３の焦点距離を規定したものである。
【００３８】
条件式（６）の下限値を超え、前記第３レンズ群Ｌ３の焦点距離が短くなると、フォーカシング時の移動量が小さくなるため小型化には有利となるが、前記第３レンズ群Ｌ３で発生する球面収差やコマ収差が増大し、これをレンズ全系で補正することが困難となる。
【００３９】
条件式（６）の上限値を超え、前記第３レンズ群Ｌ３の焦点距離が長くなると、収差補正上は有利となるが、フォーカシング時の移動量が増大するため小型化には不利となる。
【００４０】
なお、上述した条件式（６）について、上限値を２．２０、下限値を１．４９とすることで前述の効果をより確実にすることができる。
【００４１】
また、前記第１レンズ群Ｌ１は、物体側のレンズ面が物体側に対して凸である少なくとも１枚の非球面レンズを含むことが好ましい。これにより、より少ないレンズ枚数で歪曲収差と像面湾曲を効果的に補正することが可能となる。
【００４２】
以下、本発明の大口径広角レンズに係る、実施例１乃至５の数値データを示す。
【００４３】
［面データ］において、面番号は物体側から数えたレンズ面又は開口絞りの番号、ｒは各面の曲率半径、ｄは各面の間隔、ｎｄはｄ線（波長λ＝５８７．５６ｎｍ）に対する屈折率、νｄはｄ線に対するアッベ数を示す。またＢＦはバックフォーカスを表す。
【００４４】
面番号を付した（絞り）には、平面または開口絞りに対する曲率半径∞（無限大）を記入している。
【００４５】
［非球面データ］には［面データ］において＊を付したレンズ面の非球面形状を与える各係数値を示している。非球面の形状は、光軸に直交する方向への変位をｙ、非球面と光軸の交点から光軸方向への変位（サグ量）をｚ、コーニック係数をＫ、４、６、８、１０、１２次の非球面係数をそれぞれＡ４、Ａ６、Ａ８、Ａ１０、Ａ１２と置くとき、非球面の座標が以下の式で表わされるものとする。
2019117419.tif 000003
【００４６】
［各種データ］には、焦点距離等の値を示している。
【００４７】
［可変間隔データ］には、各撮影距離状態における可変間隔及びＢＦ（バックフォーカス）の値を示している。
【００４８】
［レンズ群データ］には、各レンズ群を構成する最も物体側の面番号及び群全体の合成焦点距離を示している。
【００４９】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００５０】
また、各実施例に対応する収差図において、ｄ、ｇ、Ｃはそれぞれｄ線、ｇ線、Ｃ線を表しており、ΔＳ、ΔＭはそれぞれサジタル像面、メリジオナル像面を表している。
【００５１】
さらに図１、８、１５、２２、２９に示すレンズ構成図において、Ｉは像面、ＬＰＦはローパスフィルター、中心を通る一点鎖線は光軸である。
【００５２】
以下に、各実施例に係る大口径広角レンズの諸元値を示す。［面データ］において、第１列は物体側から数えたレンズ面の順番、第２列のｒはレンズ面の曲率半径、第３列ｄはレンズ面間隔、第４列ｎｄはｄ線（波長λ＝５８７．５６ｎｍ）での屈折率、第５列νｄはｄ線（波長λ＝５８７．５６ｎｍ）でのアッベ数を表す。またｒ＝∞は平面を表し、（ＢＦ）はバックフォーカス、（絞り）は絞り面を示し、空気の屈折率ｎ＝１．００００はその記載を省略する。
【実施例１】
【００５３】
図１は実施例１に係る大口径広角レンズの無限遠合焦時におけるレンズ構成図である。
【００５４】
図１の大口径広角レンズは、物体側から像側へ順に、撮影距離無限遠から最短撮影距離までのフォーカス時に像面に対して固定の正の屈折力の第１レンズ群Ｌ１と、フォーカス時に物体側に移動する負の屈折力の第２レンズ群Ｌ２と、フォーカス時に物体側に移動する正の屈折力の第３レンズ群Ｌ３から構成される。
【００５５】
第１レンズ群Ｌ１は、物体側から像側へ順に、物体側に凸面を向けた凹メニスカスレンズであるレンズ成分Ｇ１と、物体側に凸面を向けた凹メニスカスレンズと、物体側に凸面を向けた凹メニスカスレンズとで構成される第１ｆレンズ群Ｌ１ｆと、両凸レンズと、両凹レンズと両凸レンズとの２枚からなる接合レンズとで構成される第１ｒレンズ群Ｌ１ｒとから構成される。
【００５６】
第２レンズ群Ｌ２は、両凸レンズと、両凸レンズと両凹レンズとの２枚からなる接合レンズとで構成される。
【００５７】
第３レンズ群Ｌ３は、物体側に凹面を向けた凸メニスカスレンズと両凹レンズと両凸レンズとの３枚からなる接合レンズと、両凸レンズと、両凹レンズと、両凸レンズとで構成される。
【００５８】
続いて、以下に実施例１に係る大口径広角レンズの諸元値を示す。
数値実施例1
単位：mm
[面データ]
面番号            r              d             nd             vd
物面                  ∞           (d0)                               
1              55.8667         2.0000        1.92286          20.88 
2              32.1880        11.1453
3*              39.6726         3.0000        1.69350          53.20 
4*              20.4304        19.6930
5             518.9274         1.9000        1.49700          81.61 
6              46.5995         7.4808
7              88.5605         8.0408        1.88300          40.80 
8             -88.5605         2.8258
9             -48.6468         1.9000        1.43700          95.10 
10              63.2408         6.9907        2.00100          29.13 
11            -165.6233         ｄ１１
12              48.7700         5.3297        1.59282          68.63 
13            -173.3714         0.2000
14              55.4982         5.8716        1.59282          68.63 
15             -55.4982         0.9000        1.80610          33.27 
16              26.2988         ｄ１６
（絞り）                ∞         3.1958
18            -149.9250         8.4815        1.43700          95.10 
19             -17.7149         0.9000        1.80610          33.27 
20             112.1600         3.2223        1.59282          68.63 
21            -112.1600         0.1500
22              61.3754         7.6624        1.59282          68.63 
23             -36.1032         0.1500
24            -205.2853         0.9000        1.70154          41.15 
25              51.6317         0.3905
26*             54.8683         7.1599        1.76450          49.10 
27*            -39.1917         ｄ２７
28                   ∞         1.4500        1.52301          58.59 
29                   ∞             BF
像面                  ∞                                              
[非球面データ]
3面            4面           26面           27面
K               -2.4116        -0.9479         0.0000         0.0000
A4           6.66830E-07   -1.12480E-07   -3.08870E-06    4.54650E-06
A6          -8.65320E-09   -1.99500E-08   -3.81950E-09   -3.84130E-09
A8           1.57870E-11    3.17347E-11    1.59760E-11    1.68370E-11
A10         -1.44600E-14   -3.47710E-14   -2.59380E-14   -1.13420E-14
A12          5.75550E-18    1.78990E-17    0.00000E+00    0.00000E+00
[各種データ]
INF          
焦点距離             20.69
Fナンバー             1.46
全画角2ω            93.69
像高Y              21.63
レンズ全長           161.26
[可変間隔データ]
INF       撮影距離959mm 
d0                   ∞       798.2357 
ｄ１１             7.5732         6.5175
ｄ１６             5.2496         5.7528
ｄ２７            36.5001        37.0527
[レンズ群データ]
群            始面         焦点距離
L1              1               104.28
L2             12              -267.96
L3             18                37.06
L1f             1               -21.65
L1r             7                41.19
G1              1               -85.77
【実施例２】
【００５９】
図８は実施例２に係る大口径広角レンズの無限遠合焦時におけるレンズ構成図である。
【００６０】
図８の大口径広角レンズは、物体側から像側へ順に、撮影距離無限遠から最短撮影距離までのフォーカス時に像面に対して固定の正の屈折力の第１レンズ群Ｌ１と、フォーカス時に物体側に移動する負の屈折力の第２レンズ群Ｌ２と、フォーカス時に物体側に移動する正の屈折力の第３レンズ群Ｌ３から構成される。
【００６１】
第１レンズ群Ｌ１は、物体側から像側へ順に、物体側に凸面を向けた凹メニスカスレンズであるレンズ成分Ｇ１と、物体側に凸面を向けた凹メニスカスレンズと、物体側に凸面を向けた凹メニスカスレンズとで構成される第１ｆレンズ群Ｌ１ｆと、両凸レンズと、両凹レンズと両凸レンズとの２枚からなる接合レンズとで構成される第１ｒレンズ群Ｌ１ｒとから構成される。
【００６２】
第２レンズ群Ｌ２は、両凸レンズと、両凸レンズと両凹レンズとの２枚からなる接合レンズとで構成される。
【００６３】
第３レンズ群Ｌ３は、物体側に凹面を向けた凸メニスカスレンズと両凹レンズと両凸レンズとの３枚からなる接合レンズと、両凸レンズと、両凹レンズと、両凸レンズとで構成される。
【００６４】
続いて、以下に実施例２に係る大口径広角レンズの諸元値を示す。
数値実施例2
単位：mm
[面データ]
面番号            r              d             nd             vd
物面                  ∞           (d0)                            
1              52.6943         2.0000        1.92286          20.88 
2              31.2891         9.7017
3*              36.9567         2.5000        1.69350          53.20 
4*              19.7622        15.0113
5             210.8124         1.9000        1.43700          95.10 
6              50.1899        13.3699
7             201.8324         6.7580        1.88300          40.80 
8             -76.6093         1.6459
9             -54.2269         1.9000        1.43700          95.10 
10              54.0343         6.9688        2.00100          29.13 
11            -264.2221         ｄ１１
12              58.7220         4.7142        1.59282          68.63 
13            -158.4539         0.2000
14              50.0951         5.8488        1.61997          63.88 
15             -62.0844         0.9000        1.80610          33.27 
16              27.3924         ｄ１６
（絞り）                ∞         3.2436
18            -126.3314         8.4470        1.43700          95.10 
19             -17.6490         0.9000        1.80610          33.27 
20             109.2993         3.1916        1.59282          68.63 
21            -118.5298         0.1500
22              61.5426         8.1288        1.59282          68.63 
23             -36.2016         0.1500
24            -210.3591         0.9000        1.70154          41.15 
25              49.3160         0.4066
26*             52.3614         7.1984        1.77250          49.47 
27*            -40.2780         ｄ２７
28                   ∞         1.4500        1.52301          58.59 
29                   ∞             BF
像面                  ∞                                              
[非球面データ]
3面            4面           26面           27面
K               -1.5919        -0.8585         0.0000         0.0000
A4           6.77300E-07    1.52150E-06   -3.20760E-06    4.11730E-06
A6          -9.16380E-09   -1.85770E-08   -3.90930E-09   -3.88020E-09
A8           1.42820E-11    1.93070E-11    2.20180E-11    2.28650E-11
A10         -1.19990E-14   -1.99290E-14   -3.88250E-14   -2.67370E-14
A12          4.68070E-18    1.17490E-17    0.00000E+00    0.00000E+00
[各種データ]
INF          
焦点距離             20.70
Fナンバー             1.46
全画角2ω            93.67
像高Y              21.63
レンズ全長           158.66
[可変間隔データ]
INF       撮影距離959mm 
d0                   ∞       800.4355 
ｄ１１             8.3448         7.2765
ｄ１６             5.2302         5.7549
ｄ２７            36.5000        37.0436
[レンズ群データ]
群            始面         焦点距離
L1              1               112.32
L2             12              -430.26
L3             18                37.94
L1f             1               -25.55
L1r             7                47.07
G1              1               -87.38
【実施例３】
【００６５】
図１５は実施例３に係る大口径広角レンズの無限遠合焦時におけるレンズ構成図である。
【００６６】
図１５の大口径広角レンズは、物体側から像側へ順に、撮影距離無限遠から最短撮影距離までのフォーカス時に像面に対して固定の正の屈折力の第１レンズ群Ｌ１と、フォーカス時に物体側に移動する負の屈折力の第２レンズ群Ｌ２と、フォーカス時に物体側に移動する正の屈折力の第３レンズ群Ｌ３から構成される。
【００６７】
第１レンズ群Ｌ１は、物体側から像側へ順に、物体側に凸面を向けた凹メニスカスレンズであるレンズ成分Ｇ１と、物体側に凸面を向けた凹メニスカスレンズと、物体側に凸面を向けた凹メニスカスレンズとで構成される第１ｆレンズ群Ｌ１ｆと、両凸レンズと、両凹レンズと両凸レンズとの２枚からなる接合レンズとで構成される第１ｒレンズ群Ｌ１ｒとから構成される。
【００６８】
第２レンズ群Ｌ２は、両凸レンズと、両凸レンズと両凹レンズとの２枚からなる接合レンズとで構成される。
【００６９】
第３レンズ群Ｌ３は、物体側に凹面を向けた凸メニスカスレンズと両凹レンズと両凸レンズとの３枚からなる接合レンズと、両凸レンズと、両凹レンズと、両凸レンズとで構成される。
【００７０】
続いて、以下に実施例３に係る大口径広角レンズの諸元値を示す。
数値実施例3
単位：mm
[面データ]
面番号            r              d             nd             vd
物面                  ∞           (d0)                            
1              54.3071         2.5000        1.92286          20.88 
2              31.0768        10.6774
3*              44.5081         2.5000        1.58913          61.25 
4*              20.0495        15.9054
5            2208.2746         1.9000        1.43700          95.10 
6              62.1833        11.0739
7             138.8211         7.1579        1.88300          40.80 
8             -85.5806         1.8629
9             -56.5671         1.9000        1.43700          95.10 
10              56.5968         7.0000        2.00100          29.13 
11            -259.4365         ｄ１１
12              74.6364         4.1584        1.59282          68.63 
13            -172.4635         0.2000
14              39.9301         5.7014        1.61997          63.88 
15            -115.6603         0.9000        1.80610          33.27 
16              26.7754         ｄ１６
（絞り）                ∞         2.1329
18            -149.9006         8.4961        1.43700          95.10 
19             -17.6806         0.9000        1.80610          33.27 
20              50.6128         4.7539        1.59282          68.63 
21             -98.6556         0.1500
22              49.9368         8.3174        1.59282          68.63 
23             -38.4129         0.1500
24            -170.3574         0.9000        1.57135          52.95 
25              40.8930         0.8791
26*             50.4326         7.3054        1.69358          53.20 
27*            -38.7943         ｄ２７
28                   ∞         1.4500        1.52301          58.59 
29                   ∞             BF
像面                  ∞                   
[非球面データ]
3面            4面           26面           27面
K               -2.7446        -0.8634         0.0000         0.0000
A4           1.84250E-06    1.05590E-06   -3.54510E-06    4.44540E-06
A6          -8.77080E-09   -1.46930E-08   -2.04900E-09   -4.37300E-10
A8           1.24310E-11    6.84470E-12    3.68530E-11    3.10020E-11
A10         -9.43250E-15    6.57300E-16   -1.65700E-13   -1.20270E-13
A12          3.48560E-18   -8.43050E-19    2.36560E-16    2.11190E-16
[各種データ]
INF          
焦点距離             20.71
Fナンバー             1.47
全画角2ω            93.65
像高Y              21.63
レンズ全長           160.80
[可変間隔データ]
INF       撮影距離959mm 
d0                   ∞       798.6694 
ｄ１１             8.6562         7.3842
ｄ１６             5.7718         6.5054
ｄ２７            36.4999        37.0383
[レンズ群データ]
群            始面         焦点距離
L1              1               118.34
L2             12              -850.18
L3             18                38.71
L1f             1               -24.49
L1r             7                45.92
G1              1               -83.01
【実施例４】
【００７１】
図２２は実施例４に係る大口径広角レンズの無限遠合焦時におけるレンズ構成図である。
【００７２】
図２２の大口径広角レンズは、物体側から像側へ順に、撮影距離無限遠から最短撮影距離までのフォーカス時に像面に対して固定の正の屈折力の第１レンズ群Ｌ１と、フォーカス時に物体側に移動する負の屈折力の第２レンズ群Ｌ２と、フォーカス時に物体側に移動する正の屈折力の第３レンズ群Ｌ３から構成される。
【００７３】
第１レンズ群Ｌ１は、物体側から像側へ順に、物体側に凸面を向けた凹メニスカスレンズであるレンズ成分Ｇ１と、物体側に凸面を向けた凹メニスカスレンズと、両凸面レンズと両凹レンズとの２枚からなる凹メニスカス接合レンズとで構成される第１ｆレンズ群Ｌ１ｆと、両凸レンズと、両凹レンズと両凸レンズとの２枚からなる接合レンズとで構成される第１ｒレンズ群Ｌ１ｒとから構成される。
【００７４】
第２レンズ群Ｌ２は、両凸レンズと、両凸レンズと両凹レンズとの２枚からなる接合レンズとで構成される。
【００７５】
第３レンズ群Ｌ３は、物体側に凹面を向けた凸メニスカスレンズと両凹レンズと両凸レンズとの３枚からなる接合レンズと、両凸レンズと、両凹レンズと、両凸レンズとで構成される。
【００７６】
続いて、以下に実施例４に係る大口径広角レンズの諸元値を示す。
数値実施例4
単位：mm
[面データ]
面番号            r              d             nd             vd
物面                  ∞           (d0)                            
1              60.1624         3.0000        1.92119          23.96 
2              29.7797         5.3471
3*              27.5114         2.5000        1.69358          53.20 
4*              18.1700        15.4594
5             574.9143         5.3779        1.80610          33.27 
6             -84.4580         1.4000        1.43700          95.10 
7              38.9056         7.4074
8             111.9129         4.8922        1.77250          49.62 
9            -146.9791         3.6496
10             -45.5585         5.2317        1.43700          95.10 
11              49.5701         6.9412        2.00100          29.13 
12            -140.7319         ｄ１２
13              54.0862         4.4800        1.59282          68.63 
14            -167.7090         0.2000
15              70.5855         5.1560        1.49700          81.61 
16             -58.0553         0.9000        1.64769          33.84 
17              28.6300         ｄ１７
（絞り）                ∞         1.6937
19            -864.4715         7.8166        1.43700          95.10 
20             -18.2686         0.9000        1.80610          33.27 
21              39.0415         5.3581        1.59282          68.63 
22            -107.0026         0.1500
23              46.7622         8.3303        1.59282          68.63 
24             -39.4372         0.1500
25            -114.8827         3.0754        1.58913          61.25 
26              45.0415         0.6092
27*             49.3669         7.2715        1.69358          53.20 
28*            -38.0566         ｄ２８
29                   ∞         1.4500        1.52301          58.59 
30                   ∞             BF
像面                  ∞                                              
[非球面データ]
3面            4面           27面           28面
K               -2.1240        -0.8847         0.0000         0.0000
A4           6.39650E-06   -3.56320E-07   -5.11150E-06    4.08470E-06
A6          -1.53640E-08   -2.06850E-08    9.72780E-09    9.15360E-09
A8           2.35340E-11    2.32420E-11   -5.22370E-11   -4.14090E-11
A10         -2.08570E-14   -1.59890E-14    1.10610E-13    9.85330E-14
A12          9.39220E-18    5.42930E-18   -1.22580E-16   -7.75620E-17
[各種データ]
INF          
焦点距離             20.71
Fナンバー             1.46
全画角2ω            93.66
像高Y              21.63
レンズ全長           156.40
[可変間隔データ]
INF       撮影距離959mm 
d0                   ∞       802.6294 
ｄ１２             4.5946         3.1215
ｄ１７             5.5537         6.4978
ｄ２８            36.5000        37.0290
[レンズ群データ]
群            始面         焦点距離
L1              1               171.40
L2             13              -905.51
L3             19                37.91
L1f             1               -27.27
L1r             8                50.37
G1              1               -67.19
【実施例５】
【００７７】
図２９は実施例５に係る大口径広角レンズの無限遠合焦時におけるレンズ構成図である。
【００７８】
図２９の大口径広角レンズは、物体側から像側へ順に、撮影距離無限遠から最短撮影距離までのフォーカス時に像面に対して固定の正の屈折力の第１レンズ群Ｌ１と、フォーカス時に物体側に移動する負の屈折力の第２レンズ群Ｌ２と、フォーカス時に物体側に移動する正の屈折力の第３レンズ群Ｌ３から構成される。
【００７９】
第１レンズ群Ｌ１は、物体側から像側へ順に、物体側に凸面を向けた凹メニスカスレンズであるレンズ成分Ｇ１と、物体側に凸面を向けた凹メニスカスレンズと、物体側に凸面を向けた凹メニスカスレンズとで構成される第１ｆレンズ群Ｌ１ｆと、両凸レンズと、両凹レンズと両凸レンズとの２枚からなる接合レンズとで構成される第１ｒレンズ群Ｌ１ｒとから構成される。
【００８０】
第２レンズ群Ｌ２は、両凸レンズと、両凸レンズと両凹レンズとの２枚からなる接合レンズとで構成される。
【００８１】
第３レンズ群Ｌ３は、両凸レンズと両凹レンズと両凸レンズとの３枚からなる接合レンズと、両凸レンズと、両凹レンズと、両凸レンズとで構成される。
【００８２】
続いて、以下に実施例５に係る大口径広角レンズの諸元値を示す。
数値実施例5
単位：mm
[面データ]
面番号            r              d             nd             vd
物面                  ∞           (d0)                            
1              49.5610         2.0000        1.88300          40.80 
2              31.8579         3.9680
3*              20.1778         3.0000        1.88202          37.22 
4*              13.9264        35.0186
5              85.3754         1.9000        1.49700          81.61 
6              27.4852         5.1463
7              98.8432         4.3403        1.88300          40.80 
8             -98.8432         2.5414
9             -33.9865         7.3489        1.43700          95.10 
10              37.4644         4.8076        2.00100          29.13 
11            -204.3953         ｄ１１
12             234.6148         3.0864        1.59282          68.63 
13             -80.4133         0.2000
14             152.4817         2.9479        1.59282          68.63 
15            -152.4817         0.9000        1.80610          33.27 
16              32.7366         ｄ１６
（絞り）                ∞         0.4596
18             119.7088         9.3430        1.43700          95.10 
19             -15.5540         0.9000        1.80610          33.27 
20              47.4404         5.3033        1.59282          68.63 
21             -47.4404         0.1500
22              54.6307         8.4423        1.59282          68.63 
23             -29.4477         0.1500
24             -33.3856         0.9000        1.75500          52.32 
25            1277.8613         0.1500
26*             92.4525         7.1957        1.74330          49.33 
27*            -28.9569         ｄ２７
28                   ∞         1.4500        1.52301          58.59 
29                   ∞             BF
像面                  ∞                                              
[非球面データ]
3面            4面           26面           27面
K               -1.1546        -1.0168         0.0000         0.0000
A4          -1.78194E-05   -2.12997E-05   -5.44214E-06    6.90627E-06
A6           1.82752E-08    8.59011E-09    1.42330E-09    3.76795E-10
A8          -1.82560E-12    4.20321E-11    3.49179E-12    1.01556E-11
A10         -8.88978E-15   -7.69396E-14   -8.06348E-15   -2.40919E-17
A12          7.07368E-18    5.44406E-17    0.00000E+00    0.00000E+00
[各種データ]
INF          
焦点距離             14.01
Fナンバー             1.45
全画角2ω            91.94
像高Y              14.20
レンズ全長           161.80
[可変間隔データ]
INF       撮影距離686mm 
d0                   ∞       523.8291 
ｄ１１             7.0528         5.9894
ｄ１６             5.5977         6.3338
ｄ２７            36.5001        36.8274
[レンズ群データ]
群            始面         焦点距離
L1              1               104.08
L2             12               -88.44
L3             18                30.46
L1f             1               -20.39
L1r             7                42.54
G1              1              -106.66
【００８３】
また、これらの各実施例における条件式の対応値一覧を示す。
【００８４】
[条件式対応値]
条件式／実施例                   1     2     3     4     5
(1)                νｄ１ｎ＞７０                 95.10 95.10 95.10 95.10 81.61
(2)       ０．２３＜ｆ１ｒ／ｆ１＜０．５４         0.40  0.42  0.39  0.29  0.41
(3)      １．９０＜ｆＧ１／ｆ１ｆ＜６．８０        3.96  3.42  3.39  2.46  5.23
(4) ｜β２ｂ２・（β２２−１）｜＜０．０４４      0.034 0.021 0.008 0.006 0.034
(5)     ｜Δ ＳＡ２／Δ ａｓｔ２｜＜０．０４６    0.036 0.035 0.035 0.024 0.025
(6)         １．３８＜ｆ３／ｆ＜２．８３           1.79  1.83  1.87  1.83  2.17
【符号の説明】
【００８５】
Ｌ１  第１レンズ群
Ｌ２  第２レンズ群
Ｌ３  第３レンズ群
Ｌ１ｆ  第１ｆレンズ群
Ｌ１ｒ  第１ｒレンズ群
Ｇ１  第１レンズ群Ｌ１の最も物体側のレンズ成分
Ｓ  開口絞り
ＬＰＦ  ローパスフィルター
Ｉ  像面
【図１】
2019117419.tif 000004
【図２】
2019117419.tif 000005
【図３】
2019117419.tif 000006
【図４】
2019117419.tif 000007
【図５】
2019117419.tif 000008
【図６】
2019117419.tif 000009
【図７】
2019117419.tif 000010
【図８】
2019117419.tif 000011
【図９】
2019117419.tif 000012
【図１０】
2019117419.tif 000013
【図１１】
2019117419.tif 000014
【図１２】
2019117419.tif 000015
【図１３】
2019117419.tif 000016
【図１４】
2019117419.tif 000017
【図１５】
2019117419.tif 000018
【図１６】
2019117419.tif 000019
【図１７】
2019117419.tif 000020
【図１８】
2019117419.tif 000021
【図１９】
2019117419.tif 000022
【図２０】
2019117419.tif 000023
【図２１】
2019117419.tif 000024
【図２２】
2019117419.tif 000025
【図２３】
2019117419.tif 000026
【図２４】
2019117419.tif 000027
【図２５】
2019117419.tif 000028
【図２６】
2019117419.tif 000029
【図２７】
2019117419.tif 000030
【図２８】
2019117419.tif 000031
【図２９】
2019117419.tif 000032
【図３０】
2019117419.tif 000033
【図３１】
2019117419.tif 000034
【図３２】
2019117419.tif 000035
【図３３】
2019117419.tif 000036
【図３４】
2019117419.tif 000037
【図３５】
2019117419.tif 000038